(57)【要約】      （修正有）【課題】本発明は、小型化、軽量化、及び、低背化が可能であり、貯留させる水全体を熱することなく十分な加湿が可能な加湿装置、及び、人工呼吸システムを提供する。【解決手段】液体状態の水を保持する保持部１７０と、水に接触される接触部１６０と、水を加熱する加熱部と、を備え、接触部は液体状態の水を通過させず、且つ、水蒸気は通過可能であることを特徴とし、接触部１６０は金属を素材とした金属部１６２を有し、金属部１６２の近傍に配設されたコイル１８０からの電磁誘導により生じる渦電流で水１９０を加熱蒸発することを特徴とする加湿装置５０、及び、そのような加湿装置５０を備える人工呼吸システム。【選択図】図２
2019184077.tif 000002
【特許請求の範囲】
【請求項１】
液体状態の水を保持する保持部と、
前記水に接触される接触部と、
前記水を加熱する加熱部と、
を備え、
前記接触部は液体状態の前記水を通過させず、且つ、水蒸気は通過可能であることを特徴とする加湿装置。
【請求項２】
前記接触部は、前記水蒸気を通過させることが可能な複数の貫通孔を有することを特徴とする請求項１に記載の加湿装置。
【請求項３】
前記接触部は前記保持部の少なくとも一部であることを特徴とする請求項１又は請求項２に記載の加湿装置。
【請求項４】
前記接触部が前記保持部において、鉛直方向上向きの場所に配設されることを特徴とする請求項３に記載の加湿装置。
【請求項５】
前記接触部は薄いプレートであることを特徴とする請求項１から請求項４のうちのいずれか一項に記載の加湿装置。
【請求項６】
前記接触部は網構造を有することを特徴とする請求項１から請求項４のうちのいずれか一項に記載の加湿装置。
【請求項７】
前記接触部の少なくとも一部の表面は撥水性であることを特徴とする請求項５又は請求項６に記載の加湿装置。
【請求項８】
前記接触部は金属を素材とする金属部を有し、前記加熱部は前記金属部を加熱することで、前記水を加熱することを特徴とする請求項１から請求項７のうちのいずれか一項に記載の加湿装置。
【請求項９】
前記加熱部は、電磁誘導により前記金属部に渦電流を生じさせる送電用のコイルを備えることを特徴とする請求項８に記載の加湿装置。
【請求項１０】
前記金属部と前記送電用のコイルの距離は１ｃｍ以下であることを特徴とする請求項９に記載の加湿装置。
【請求項１１】
前記加熱部は送電用のコイルを備え、ヒステリシス損により前記金属部が加熱されることを特徴とする請求項８に記載の加湿装置。
【請求項１２】
請求項１から請求項１１のうちのいずれか一項に記載の加湿装置を備えた人工呼吸システム。
【発明の詳細な説明】
【技術分野】
【０００１】
本発明は加湿装置に係り、例えば人工呼吸器の呼吸回路に接続して、送気ガスに水分を付加する加湿装置に関する。
【背景技術】
【０００２】
使用者の気道に接続して、換気を調節又は補助するように設計された自動的換気装置が医療の現場において広く使用されており、これを一般に人工呼吸器、人工呼吸システムという。人工呼吸システムには、睡眠時無呼吸症候群に対する治療であるＣＰＡＰ療法（Ｃｏｎｔｉｎｕｏｕｓ  Ｐｏｓｉｔｉｖｅ  Ａｉｒｗａｙ  Ｐｒｅｓｓｕｒｅ：経鼻的持続陽圧呼吸療法）に使用される呼吸補助装置も含まれる。
【０００３】
気道に乾燥したガスを送気し続けると使用者に不快感を引き起こし、場合によっては気道へ損傷を与えるきっかけにもなり得る。そこで人工呼吸システムには、送気ガスへ水分を付加する加湿装置を接続する。
【０００４】
従来、人工呼吸システムに使用される加湿装置は、ヒータープレートで貯水槽に入れた水全体を加熱して蒸発させる方式のものが多かった（例えば、特許文献１参照）。
【０００５】
図６は、加熱蒸発方式を採用する加湿装置３００の断面図である。加湿装置３００は、筐体３６０と、ガスを送気するブロワ（送風機）（図示省略）に接続される送気ガス入口３４０と、使用者に接続される呼吸回路（図示省略）へガスを送り出すための送気ガス出口３５０を備える。筐体３６０は底の部分に熱伝導部３７０を有し、水３９０を貯留する。ヒーター部３８０は、例えば電気抵抗体（図示省略）を有して電源（図示省略）から電流を流すことで加熱され、熱伝導部３７０を通じて水３９０を加熱蒸発させる。送気ガス入口３４０から流入する送気ガスは加湿室３２５において、水３９０の表面から蒸発した水蒸気を含み、加湿された後に送気ガス出口３５０から、呼吸回路を通じて使用者の気道へと送られる。
【先行技術文献】
【特許文献】
【０００６】
【特許文献１】特表２００９−５０４２７７号公報
【発明の概要】
【発明が解決しようとする課題】
【０００７】
しかし、特許文献１記載の技術では、貯水槽全体の水の温度を上昇させなければ、十分な量の水蒸気を発生させることができない。このためエネルギー消費量が多く、また熱水を多く貯留しなければならないので小型化も難しい。また多くの熱水を貯留する必要があるので、加湿装置を倒すことで熱水が漏れ、使用者等が熱傷を負う危険も大きい。将来、人工呼吸システム、呼吸補助器は在宅医療で用いられる機会が多くなると考えられており、その意味でも医療従事者以外の家族が扱うには不便である。
【０００８】
本発明は、上記課題を鑑みてなされたものであり、小型化、軽量化、及び、低背化が可能であり、貯留させる水全体を熱することなく十分な加湿が可能な加湿装置、及び、人工呼吸システムの提供を目的とする。
【課題を解決するための手段】
【０００９】
本発明では、保持される水の表面に加熱された部材を接触させて加熱することで、効率よく水蒸気を発生させることとする。
【００１０】
（１）本発明は、液体状態の水を保持する保持部と、前記水に接触される接触部と、前記水を加熱する加熱部と、を備え、前記接触部は液体状態の前記水を通過させず、且つ、水蒸気は通過可能であることを特徴とする加湿装置を提供する。
【００１１】
上記（１）に記載の発明によれば、加湿装置が液体状態の水を通過させず、且つ、水蒸気を通過可能な接触部を有することで、保持部が保持する水を外部に漏らしにくく、加湿が可能な機構を可能にするという優れた効果を奏する。
【００１２】
（２）本発明は、前記接触部は、前記水蒸気を通過させることが可能な複数の貫通孔を有することを特徴とする上記（１）に記載の加湿装置を提供する。
【００１３】
上記（２）に記載の発明によれば、接触部が水蒸気を通過させることが可能な複数の貫通孔を有することで、加湿が可能な加湿装置を実現できるという効果を奏する。
【００１４】
（３）本発明は、前記接触部は前記保持部の少なくとも一部であることを特徴とする上記（１）又は上記（２）に記載の加湿装置を提供する。
【００１５】
上記（３）に記載の発明によれば、加熱蒸発させる水を保持する保持部の一部分が、接触部であるため、保持部とから生じる水蒸気を、接触部を介して送気ガスに付加することができるという優れた効果を奏する。
【００１６】
（４）本発明は、前記接触部が前記保持部において鉛直方向上向きの場所に配設されることを特徴とする上記（３）に記載の加湿装置を提供する。
【００１７】
温められた水は軽くなり鉛直方向上向きに移動する傾向がある。上記（４）に記載の発明によれば、水蒸気を生じ得る温かい水が接触部の近傍に存在することになるので、効率よく送気ガスを加湿することが可能になるという優れた効果を奏する。
【００１８】
（５）本発明は、前記接触部は薄いプレートであることを特徴とする上記（１）乃至上記（４）のうちのいずれかに記載の加湿装置を提供する。
【００１９】
上記（５）に記載の発明によれば、水蒸気を通過させる接触部が薄いプレート状なので、低背化が可能であり在宅医療でも用いやすい小型の加湿装置が実現できるという優れた効果を奏する。
【００２０】
（６）本発明は、前記接触部は網構造を有することを特徴とする上記（１）乃至上記（４）のうちのいずれかに記載の加湿装置を提供する。
【００２１】
上記（６）に記載の発明によれば、水蒸気を通過させる接触部が網構造を有するので、軽量化、低背化が可能であり在宅医療でも用いやすい小型軽量の加湿装置が実現できるという優れた効果を奏する。
【００２２】
（７）本発明は、前記接触部の少なくとも一部の表面は撥水性であることを特徴とする上記（５）又は上記（６）に記載の加湿装置を提供する。
【００２３】
上記（７）に記載の発明によれば、接触部の少なくとも一部の表面が撥水性を有するので、保持部に保持される水が、外部に漏れにくくなり安全性が高まるという優れた効果を奏する。
【００２４】
（８）本発明は、前記接触部は金属を素材とする金属部を有し、前記加熱部は前記金属部を加熱することで、前記水を加熱することを特徴とする上記（１）乃至上記（７）のうちのいずれかに記載の加湿装置を提供する。
【００２５】
上記（８）に記載の発明によれば、保持部に保持される水に接触する接触部が有する金属部が加熱されるので、水蒸気を通過させる接触部の近傍の水を加熱することが可能になり、エネルギー効率よく加湿が可能になるという優れた効果を奏する。
【００２６】
なお本明細書において金属を素材とするというのは、例えば酸化鉄などを主成分としたセラミックスを素材とする場合も含む。
【００２７】
（９）本発明は、前記加熱部は、電磁誘導により前記金属部に渦電流を生じさせる送電用のコイルを備えることを特徴とする上記（８）に記載の加湿装置を提供する。
【００２８】
上記（９）に記載の発明によれば、加熱部が渦電流により加熱される金属部と、金属部に送電するコイルを有するので、加熱部を自由な位置に配置でき、また加熱のためのエネルギー効率も良いという優れた効果を奏する。
【００２９】
（１０）本発明は、前記金属部と前記送電用のコイルの距離が１ｃｍ以下であることを特徴とする上記（９）に記載の加湿装置を提供する。
【００３０】
電磁誘導は、送電側と受電側の距離が離れると、磁界の変化によるエネルギー伝達効率が距離の三乗に反比例して減少してしまう。上記（１０）に記載の発明によれば、送電側コイルと、受電側の金属部の距離が１ｃｍ以下と小さいので効率の良い電力伝送が可能であるという優れた効果を奏する。
【００３１】
（１１）本発明は、前記加熱部が送電用のコイルを備え、ヒステリシス損により前記金属部が加熱されることを特徴とする上記（８）に記載の加湿装置を提供する。
【００３２】
上記（１１）に記載の発明によれば、磁力線に沿った方向に発生するヒステリシス損により、金属部を加熱することができるので、金属部は平面である必要がなく、磁性体のパイプを送電用のコイルの作る磁力線に沿って配置して、毛細管現象で水を吸い上げることだけでも加湿装置が構成できるという極めて優れた効果を奏する。
【００３３】
（１２）本発明は、上記（１）乃至上記（１１）のうちのいずれかに記載の加湿装置を備えた人工呼吸システムを提供する。
【００３４】
上記（１２）に記載の発明によれば、加湿装置が液体状態の水を通過させず、且つ、水蒸気を通過可能な接触部を有することで、保持部が保持する水を外部に漏らしにくく、効率良く送気ガスを加湿することが可能な人工呼吸システムを実現できるという優れた効果を奏する。
【発明の効果】
【００３５】
本発明の請求項１〜１２記載の加湿装置、及び、人工呼吸システムによれば、小型軽量であり、安全でエネルギー効率の良い加湿器、人工呼吸システムが実現され得るという優れた効果を奏する。
【図面の簡単な説明】
【００３６】
【図１】本発明の第一実施形態に係る人工呼吸システムの説明図である。
【図２】本発明の第一実施形態に係る人工呼吸システムにおける加湿装置の説明図である。
【図３】（Ａ）加湿装置における保持部、接触部、及び、コイルの断面図である。（Ｂ）加熱部の加熱原理を説明する説明図である。
【図４】（Ａ）本発明の第二実施形態に係る加湿装置における保持部、接触部、及び、コイルの断面図である。（Ｂ）本発明の第三実施形態に係る加湿装置における保持部、接触部の断面図である。（Ｃ）本発明の第四実施形態に係る加湿装置の説明図である。
【図５】本発明の変形実施例に係る加湿装置の説明図である。
【図６】従来の加湿装置の説明図である。
【発明を実施するための形態】
【００３７】
以下、本発明の実施の形態を添付図面を参照して説明する。
【００３８】
図１〜図４は発明を実施する形態の一例であって、図中、同一の符号を付した部分は同一物を表わす。なお、各図において一部の構成を適宜省略して、図面を簡略化する。そして、部材の大きさ、形状、厚みなどを適宜誇張して表現する。
【００３９】
図１は、本発明の第一実施形態に係る人工呼吸システム１の説明図である。人工呼吸システム１は、全体の制御等をおこなう制御部１０等を有する本体５と、送気ガスに水分を付加する加湿装置５０と、送気ガスを使用者１００に導く呼吸回路７０と、使用者１００にガスを供給するマスク１１０を備える。本体５は、送気ガスの流量や温度を制御する制御部１０と、送気ガスの流量を測定する流量センサ２０と、送気するガスを吸入口３０から吸い込んで呼吸回路７０へ送り出すブロワ４０を有する。加湿装置５０以外の部材は、従来の人工呼吸システムと同様の構成なので詳細な記載は省略する。
【００４０】
なお制御部１０はＣＰＵ、ＲＡＭおよびＲＯＭなどから構成され、各種制御を実行する。ＣＰＵはいわゆる中央演算処理装置であり、各種プログラムが実行されて様々な機能を実現する。ＲＡＭはＣＰＵの作業領域、記憶領域として使用され、ＲＯＭはＣＰＵで実行されるオペレーティングシステムやプログラムを記憶する。
【００４１】
図２には、本発明の第一実施形態に係る人工呼吸システム１における加湿装置５０の説明図を示す。加湿装置５０は、液体状態の水１９０を保持する保持部１７０と、水１９０に接触される接触部１６０と、水を加熱する加熱部１５５（後述する図３（Ａ）を参照）とを備え、接触部１６０は液体状態の水を通過させず、且つ、水蒸気は通過可能である。また接触部１６０は、保持部１７０の少なくとも一部であり、接触部１６０は、保持部１７０において鉛直方向上向きの場所に配設されることを特徴とする。
【００４２】
接触部１６０は、薄いプレート状の金属の金属部１６２であり、水蒸気が通過可能な複数の貫通孔を有することを特徴とする。材質としては例えばステンレスが望ましい。微細貫通孔はエッチングで形成してもよく、いわゆるパンチングメタルであってもよい。微細貫通孔の直径は０．３ｍｍ以下が望ましい。また接触部１６０の表面の少なくとも一部は撥水性を有し、例えばフッ素系の合成樹脂によりコーティングされていることが好ましい。このような構成にすることで、微細貫通孔を通じて接触部１６０から保持部１７０の水が外部に漏れ出しにくい。
【００４３】
保持部１７０は、合成樹脂製であることが望ましい。また保持部１７０は満水状態を維持されることが好ましい。保持部１７０には水を供給するために水供給口１３０が配設される。
【００４４】
接触部１６０には、水１９０が、常に直接接触することが望ましい。
【００４５】
保持部１７０の下部には接触部１６０と対向する位置に送電用のコイル１８０が配設される。コイル１８０は導線（図示省略）によりインバータ（図示省略）へ接続され、例えば２０〜９０キロヘルツの交流電流が印加される。
【００４６】
次に、上記した加湿装置５０の動作を説明する。
【００４７】
送気ガス入口１４０から流入した送気ガスは、加湿室１２５において接触部１６０から出る水蒸気を含んで加湿され、送気ガス出口１５０から呼吸回路７０（図１参照）へと導かれる。
【００４８】
図３（Ａ）は、加湿装置５０における保持部１７０、接触部１６０、及び、コイル１８０の断面図である。接触部１６０は金属部１６２であり、金属部１６２にはコイル１８０からの磁場の変動による電磁誘導で渦電流が発生し、金属部１６２が持つ電気抵抗により金属部１６２そのものが加熱される。すなわち加熱部１５５は、金属部１６２と、コイル１８０と、コイル１８０に交流電流を印加する電源、インバータ（図示省略）を備える。
【００４９】
言い換えると、加湿装置５０の加熱部１５５は、誘導加熱の原理を用いることで、保持部１７０内に保持され、１６２に接触する水１９０を加熱する。
【００５０】
なお金属部１６２と送電用のコイル１８０の距離は１ｃｍ以下であることが好ましい。
【００５１】
図３（Ｂ）は、加熱部１５５の加熱原理を説明する説明図である。金属部１６２は、この場合、網状である。インバータから交流電流がコイル１８０に印加され、磁力線Ｍがコイルの面に対して垂直に発生する。磁場の大きさが交流電流の変動により変動し、金属部１６２に渦電流Ｅを生じる。そして金属部１６２が持つ電気抵抗により金属部１６２そのものが加熱される。
【００５２】
図４（Ａ）には、本発明の第二実施形態に係る加湿装置における保持部１７０、接触部１６０、及び、コイル１８０の断面図を示す。本実施形態においては、接触部１６０は、網状の金属部１６２と、水漏れ防止部１６４を有する。水漏れ防止部１６４の材質は、例えば和紙やシリコーンスポンジであり、汚れたら交換可能であることが好ましい。コイル１８０により誘導加熱された金属部１６２が、水１９０を加熱蒸発し、水漏れ防止部１６４を介して送気ガスを加湿する。なお水漏れ防止部１６４は、水蒸気を通過させ且つ液体状態の水を通さない、例えばゴアテックス（登録商標）のような布であってもよく、金属部１６２は布に蒸着された金属膜であってもよい。
【００５３】
図４（Ｂ）には、本発明の第三実施形態に係る加湿装置における保持部１７０、接触部１６０の断面図である。本実施形態において、接触部１６０は水蒸気を通過させる性質を持つ多孔質部１６６とヒーター部１６８を有する。ヒーター部１６８は、例えば電気抵抗体であり、電流を電源（図示省略）から印加することで水１９０を加熱する。そして発生した水蒸気は多孔質部１６６を通じて送気ガスを加湿する。
【００５４】
なお、いずれの実施形態においても、例えば接触部１６０近傍に温度測定をおこなう検出器を配置して、水切れ時に温度が上昇した際に、制御部１０によってコイル１８０への電流印加を止める危険防止制御をおこなうことが好ましい。
【００５５】
図４（Ｃ）は、本発明の第四実施形態に係る加湿装置５０の説明図である。加湿装置５０自体の構成は図２と同様であるが、加湿装置５０への水供給を、導管２１０を通じて水供給バッグ２００でおこなう。このとき水供給バッグ２００は伸縮性があり、常に保持部１７０の内部には圧力がかかり、水が接触部１６０に直接接触していることが好ましい。
【００５６】
本発明の実施形態に係る加湿装置５０によれば、加湿装置５０が液体状態の水１９０を通過させず、且つ、水蒸気を通過可能な接触部１６０を有することで、保持部１７０が保持する水１９０を外部に漏らしにくく、加湿が可能な機構を可能にするという優れた効果を奏する。
【００５７】
本発明の実施形態に係る加湿装置５０によれば、接触部１６０が水蒸気を通過可能な複数の貫通孔を有することで、保持部１７０が保持する水１９０を外部に漏らしにくく、加湿が可能な加湿装置５０を実現できるという優れた効果を奏する。
【００５８】
本発明の実施形態に係る加湿装置５０によれば、加熱蒸発させる水を保持する保持部１７０の一部分が、接触部１６０であるため、保持部１７０とから生じる水蒸気を、接触部１６０を介して送気ガスに付加することができるという優れた効果を奏する。
【００５９】
温められた水は軽くなり鉛直方向上向きに移動する傾向がある。本発明の実施形態に係る加湿装置５０によれば、水蒸気を生じ得る温かい水が接触部１６０の近傍に存在することになるので、効率よく送気ガスを加湿することが可能になるという優れた効果を奏する。
【００６０】
本発明の実施形態に係る加湿装置５０によれば、水蒸気を通過させる接触部１６０が薄いプレートなので、低背化が可能であり在宅医療でも用いやすい小型の加湿装置５０が実現できるという優れた効果を奏する。
【００６１】
本発明の実施形態に係る加湿装置５０によれば、水蒸気を通過させる接触部１６０が網構造を有するので、軽量化、低背化が可能であり在宅医療でも用いやすい小型軽量の加湿装置５０が実現できるという優れた効果を奏する。
【００６２】
本発明の実施形態に係る加湿装置５０によれば、接触部１６０の少なくとも一部の表面が撥水性を有するので、保持部１７０に保持される水１９０が、外部に漏れにくくなり安全性が高まるという優れた効果を奏する。
【００６３】
本発明の実施形態に係る加湿装置５０によれば、保持部１７０に保持される水１９０に接触する接触部１６０が有する金属部１６２が加熱されるので、水蒸気を通過させる接触部１６０の近傍の水を加熱することが可能になり、エネルギー効率よく加湿が可能になるという優れた効果を奏する。
【００６４】
本発明の実施形態に係る加湿装置５０によれば、加熱部１５５が渦電流により加熱される金属部１６２と、金属部１６２に送電するコイル１８０を有するので、加熱部１５５を自由な位置に配置でき、また加熱のためのエネルギー効率も良いという優れた効果を奏する。
【００６５】
電磁誘導は、送電側と受電側の距離が離れると、磁界の変化によるエネルギー伝達効率が距離の三乗に反比例して減少してしまう。本発明の実施形態に係る加湿装置５０によれば、送電側コイル１８０と、受電側の金属部１６２の距離が１ｃｍ以下と小さいので効率の良い電力伝送が可能であるという優れた効果を奏する。
【００６６】
本発明の実施形態に係る人工呼吸システム１によれば、加湿装置５０が液体状態の水を通過させず、且つ、水蒸気を通過可能な接触部１６０を有することで、保持部１７０が保持する水１７０を外部に漏らしにくく、効率良く送気ガスを加湿することが可能な人工呼吸システム１を実現できるという優れた効果を奏する。
【００６７】
尚、本発明の加湿装置、及び、人工呼吸システムは、上記した実施の形態に限定されるものではなく、本発明の要旨を逸脱しない範囲内において種々変更を加え得ることは勿論である。
【００６８】
例えば変形実施例としては、コイル部１８０を、保持部１７０の下部ではなく、加湿室１２５側に設けてやることも考えられる。また保持部１７０全体が、接触部１６０であるバッグのような形状である態様も考えられる。コイル１８０も複数あってよく、また保持部１７０がヒダのような折りたたまれた形状を有して、その間を送気ガスが通過する際に加湿されるといった態様も考えられる。この場合、接触部１６０が大きな表面積を持つことで、効率の良い加湿が可能になるという効果を奏する。
【００６９】
また他の変形実施例としては、磁性体のヒステリシス損による加熱を利用する方法もある。図５は、本発明の変形実施例に係る加湿装置５０の説明図である。加湿装置５０は、交流電源１９５と、送電用のコイル１８０と、水１９０を保持する保持部１７０と、保持部１７０から水１９０を吸い上げる細径の磁性体パイプである金属部１６２を備える。金属部１６２の軸はコイルの軸方向と略一致していることが好ましい。金属部１６２は、コイル１８０が作る磁力線の向きの変化に応じて、軸方向にヒステリシス損失（ヒステリシス損）が発生して加熱され、磁性体パイプである金属部１６２の中にある水１９０を水蒸気１９７にする。発生する水蒸気１９７は、パイプである金属部１６２における保持部１７０とは逆側の端部から放出され、送気ガスを加湿する。金属部１６２は毛細管現象により水１９０を吸い上げられる程度の内径を持つことが望ましい。また金属部１６２の材料は、残留磁束が大きく，保磁力の小さい強磁性体、例えばフェライト等が望ましい。
【００７０】
本発明の実施形態に係る加湿装置５０によれば、磁力線に沿った方向に発生するヒステリシス損により、金属部１６２を加熱することができるので、金属部１６２は平面である必要がなく、磁性体のパイプを送電用のコイル１８０発生する磁力線に沿って配置し、毛細管現象で水を吸い上げることだけで加湿装置５０が構成できるという極めて優れた効果を奏する。
【符号の説明】
【００７１】
１    人工呼吸システム
５    本体
１０    制御部
２０    流量センサ
３０    吸入口
４０    ブロワ
５０    加湿装置
７０    呼吸回路
１００    使用者
１１０    マスク
１２０    筐体
１２５    加湿室
１３０    水供給口
１４０    送気ガス入口
１５０    送気ガス出口
１５５    加熱部
１６０    接触部
１６２    金属部
１６４    水漏れ防止部
１６６    多孔質部
１６８    ヒーター部
１７０    保持部
１８０    コイル
１９０    水
１９５    交流電源
１９７    水蒸気
２００    水供給バッグ
２１０    導管
３００    加湿装置
３２５    加湿室
３４０    送気ガス入口
３５０    送気ガス出口
３６０    筐体
３７０    熱伝導部
３８０    ヒーター部
３９０    水
Ｍ    磁力線Ｍ
Ｅ    渦電流Ｅ
【図１】
2019184077.tif 000003
【図２】
2019184077.tif 000004
【図３】
2019184077.tif 000005
【図４】
2019184077.tif 000006
【図５】
2019184077.tif 000007
【図６】
2019184077.tif 000008